(57)【要約】【課題】ワイヤを規制要素とする煽止め具において、ドア開放時にワイヤが折り曲げられて損傷するのを解消する。【解決手段】ドア１にはワイヤ８の一端を固定する。ドア枠にはワイヤ連結具６と屈曲緩和具７とをそれぞれ固定する。ワイヤ連結具６はボールチャック１６とホルダ１７とで構成する。屈曲緩和具７はコイルばね１９とホルダ１７とで構成する。ワイヤ８の自由端は、コイルばね１９に挿通したのちボールチャック１６に差し込み連結して、ワイヤ８の屈曲部分をコイルばね１９で支持する。ドア１を開放すると、コイルばね１９がたわんでワイヤ８の屈曲力に対抗するので、ワイヤ８の折れ曲がりを緩和し、なめらかに湾曲させることができる。【選択図】図１
2005171479.tif 000002
【特許請求の範囲】
【請求項１】
ドア１とドア枠２とのいずれか一方にワイヤ８の一端が固定されており、他方にワイヤ８の自由端が差し込み固定されるワイヤ連結具６が固定してある煽止め具であって、
ワイヤ８の固定端とワイヤ連結具６との間に、ワイヤ８の折れ曲がりを緩和する屈曲緩和具７が配置されており、
ワイヤ連結具６は、ボールチャック１６と、ボールチャック１６を支持するホルダ１７とで構成されており、
屈曲緩和具７が、屈曲変形可能な筒状の可撓体１９と、ワイヤ８が挿通された可撓体１９を固定支持するホルダ１７とで構成されていることを特徴とする煽止め具。
【請求項２】
可撓体が、密巻状のコイルばね１９で形成されており、
コイルばね１９の一端が、ホルダ１７に形成したねじ孔２７にねじ込み装着してある請求項１記載の煽止め具。
【請求項３】
ホルダ１７に、ボールチャック１６を支持する第１腕２４と、コイルばね１９を支持する第２腕２５とが一体に形成されている請求項１または２記載の煽止め具。
【請求項４】
ボールチャック１６が、ホルダ１７に対して伸縮変形可能な密巻状のコイルばね４０を介して装着されている請求項１、２または３記載の煽止め具。
【発明の詳細な説明】
【技術分野】
【０００１】
本発明は、揺動開閉可能なドアや窓に適用される煽止め具、なかでもワイヤを規制要素とする煽止め具に関する。
【背景技術】
【０００２】
ワイヤを規制要素とする煽止め具は公知である（特許文献１参照）。そこでは、ワイヤの一端をボールチャックと取付金具とを介してドア枠に固定し、ワイヤの他端を端金具と、端金具を受け止める取付板とを介してドアに固定している。取付金具は、平面から見て横長コ字状に形成してあり、一方の腕にボールチャックがねじ込み固定される。他方の腕にはガイド孔を通設してあり、ドア側からガイド孔に通したワイヤの端をボールチャックに差し込み連結している。
【０００３】
【特許文献１】特開２００１−４９９３０号公報（段落番号０００７、図３）
【発明の開示】
【発明が解決しようとする課題】
【０００４】
上記の煽止め具は、ボールチャックに対するワイヤの差し込み量を加減することにより、ドアの限界開量を自由に変更できる。しかし、ドアを開放した状態において、取付金具のガイド孔の外面においてワイヤがく字状に折れ曲がるため、ドアが風に煽られてがた付くような場合に、ワイヤが反復屈曲されて傷みやすく、短期間で切断しやすい。開きかけたドアが、風に煽られて全開位置まで急に開放揺動するとき、先の折れ曲がり部分に応力が集中するので、ワイヤが損傷しやすい。切断したワイヤは長さが不足するので、新規ワイヤと交換する以外になく、その交換に手間とコストが掛かる。
【０００５】
本発明の目的は、ドア開放時のワイヤの折れ曲がりを緩和して、ワイヤを規制要素とする煽止め具の耐久性を向上することにある。本発明の他の目的は、開きかけたドアが風に煽られて全開位置まで急に開放揺動する場合や、ドアが風に煽られてがた付くような場合に、ワイヤに作用する衝撃力や曲げ外力を緩和吸収して、ワイヤの損傷を解消し保護できる煽止め具を提供することにある。
【課題を解決するための手段】
【０００６】
本発明は、ドア１とドア枠２とのいずれか一方にワイヤ８の一端が固定されており、他方にワイヤ８の自由端が差し込み固定されるワイヤ連結具６が固定してある煽止め具であって、ワイヤ８の固定端とワイヤ連結具６との間に配置されて、ワイヤ８の折れ曲がりを緩和する屈曲緩和具７を備えている。ワイヤ連結具６は、ボールチャック１６と、ボールチャック１６を支持するホルダ１７とで構成する。屈曲緩和具７は、屈曲変形可能な筒状の可撓体１９と、ワイヤ８が挿通された可撓体１９を固定支持するホルダ１７とで構成されている（請求項１）。
【０００７】
可撓体は密巻状のコイルばね１９で形成することができ、その場合のコイルばね１９の一端は、ホルダ１７に形成したねじ孔２７にねじ込み装着して、コイルばね１９をホルダ１７に固定することができる（請求項２）。
【０００８】
ホルダ１７には、ボールチャック１６を支持する第１腕２４と、コイルばね１９を支持する第２腕２５とを一体に形成することができる（請求項３）。
【０００９】
ボールチャック１６は、ホルダ１７に対して伸縮変形可能な密巻状のコイルばね４０を介して装着することができる（請求項４）。
【発明の効果】
【００１０】
本発明においては、ワイヤ８の固定端とワイヤ連結具６との間に屈曲緩和具７を配置して、ワイヤ８の屈曲する部分を可撓体１９で支持できるようにした。ワイヤ８が屈曲する部分では、可撓体１９は弾性変形して、その変形応力によってワイヤ８の屈曲力に対抗する。そのため、ワイヤ８は可撓体１９から受ける反発力の分だけ屈曲部分の角度が緩やかになり、しかも、可撓体１９の変形形状に沿って湾曲状に屈曲せざるを得ない。その結果、ワイヤ８が急な角度でく字状に折れ曲がるのを解消し、煽止め具の耐久性を向上できる（請求項１）。
【００１１】
可撓体を密巻状のコイルばね１９で形成すると、隣接するばね線材どうしが密着しているため、屈曲部分の内側においてばね線材どうしが収縮し接近する余地がなく、その分だけコイルばね１９自体の屈曲応力が大きくなる（このことは、ばね線材の間に隙間があるコイルばねが屈曲する場合を想定すると理解しやすい）。従って、より大きな反発力をワイヤ８の屈曲部分に作用させて、さらに効果的にワイヤ８の折れ曲がりを解消できる。ワイヤ８の緊張力が開放されると、コイルばね１９は自己の弾性によって直線姿勢に戻ることができるので、ドア１を閉じた状態においてコイルばね１９がドア１に接当緩衝するのを防止できる（請求項２）。
【００１２】
ホルダ１７に第１腕２４と第２腕２５とを一体に形成し、各腕２４・２５でボールチャック１６とコイルばね１９とを支持すると、１個のホルダ１７のみでボールチャック１６とコイルばね１９とを支持できるので、煽止め具の構成部品点数が減り、しかもホルダ１７を個別に取り付ける手間が省けて、施工時の手間を軽減できる。ボールチャック１６とコイルばね１９とホルダ１７との三者をユニット部品化できる利点もある（請求項３）。
【００１３】
ボールチャック１６を伸縮変形可能なコイルばね４０で支持するようにした煽止め具によれば、コイルばね１９では吸収しきれなかった衝撃をコイルばね４０が伸張変形することによって吸収でき、ワイヤ８だけでなく、ボールチャック１６に作用する外力をも緩和して、ワイヤ８およびボールチャック１６の損傷を解消できる。従ってワイヤ８を規制要素とする煽止め具の信頼性がさらに向上し、例えば、煽止め具が大形で大重量のドア１に適用される場合でも、煽止め作用を確実に発揮する（請求項４）。
【発明を実施するための最良の形態】
【００１４】
（実施例１）  図１ないし図５は本発明に係る煽止め具の第１実施例を示す。図１および図２において符号１はドア、２はドア枠、３はドア１を揺動開閉自在に支持するヒンジである。煽止め具は、ドア１の内面上部に固定されるブラケット４と、ドア枠２の上框に固定されるワイヤ連結具６および屈曲緩和具７と、一端がブラケット４で固定保持され、他方の自由端が屈曲緩和具７を介してワイヤ連結具６に差し込み連結されるワイヤ８とで構成してある。ワイヤ８のブラケット４側の端部には円柱状のエンド金具９がかしめ固定される。
【００１５】
図３においてブラケット４は、半円状の係止座１２と、係止座１２の左右の締結座１３とを一体に形成したΩ字状のプレス金具からなり、係止座１２でエンド金具９を回動自在に受け止め支持する。係止座１２には、その円周方向に沿ってワイヤ８の姿勢変化を吸収する逃げ溝１４が形成されている。
【００１６】
図３および図４においてワイヤ連結具６は、ボールチャック１６と、ボールチャック１６を支持するホルダ１７とで構成する。屈曲緩和具７は、コイルばね（可撓体）１９とコイルばね１９を支持するホルダ１７とで構成する。この実施例では、1個のホルダ１７のみで、ボールチャック１６とコイルばね１９を支持できるようにした。
【００１７】
ホルダ１７は、締結座２３の一端および他端から第１腕２４と第２腕２５とを直交状に折り曲げ形成した横長コ字状のプレス金具からなり、第１腕２４にボールチャック１６をねじ込み装着するためのねじ孔２６が形成され、第２腕２５にコイルばね１９をねじ込み装着するためのねじ孔２７が形成されている。締結座２３をドア枠２の上框にあてがってビスで締結することにより、ホルダ１７は各腕２４・２５が垂直になる姿勢で固定される。
【００１８】
ボールチャック１６は、内面にテーパー壁３０が形成してあるケース３１と、ケース３１内に挿嵌されて３個のスチール製のボール３２を保持するボールホルダ３３と、ボールホルダ３３をテーパー壁３０に向かって押し付け付勢する圧縮コイル形のばね３４と、ケース内面のねじ穴３５にねじ込み装着されるプラグ３６などで構成する。プラグ３６はばね３４の一端を受け止めるばね受具と、ボールチャック１６を第１腕２４に固定するための締結具を兼ねている。
【００１９】
常態において、３個のボール３２はテーパー壁３０に押されてボールホルダ３３の中心へ移動し、ボールホルダ３３の挿通孔３７に差し込んだワイヤ８をクランプ固定する。ケース３１の端部から突出するボールホルダ３３の操作軸３８を、ばね３４の付勢力に抗して押し込み操作すると、ボール３２によるクランプ状態を解除できる。ボールチャック１６は、先のプラグ３６を第１腕２４側のねじ孔２６にねじ込むことにより、ホルダ１７と一体化される。
【００２０】
コイルばね１９は、密巻状の圧縮コイルばねからなり、図４に示すように、その一端を先のねじ孔２７にねじ込み、さらに、ねじ孔２７から突出するコイルばね１９の周面にロックナット２８をねじ込むことにより第２腕２５に固定される。
【００２１】
上記のように、ボールチャック１６とエンド金具９との間に屈曲緩和具７を配置し、ワイヤ８の屈曲部分をコイルばね１９で支持すると、図１および図５に示すように、ドア１を開放した状態において、コイルばね１９がたわみ変形してワイヤ８の屈曲に反発するので、ワイヤ８がく字状に折れ曲がるのを解消できる。ブラケット４で支持したエンド金具９は、ドア１の開放動作に追随して係止座１２の内部でワイヤ８の緊張方向へ回動するが、このときのワイヤ８の動きを逃げ溝１４で吸収できるので、ドア１側でのワイヤ８の折れ曲がりも解消できる。
【００２２】
（実施例２）  図６および図７に本発明に係る煽止め具の実施例２を示す。そこでは、ボールチャック１６を筒状の弾性体を介してホルダ１７に固定している。筒状の弾性体としては、例えば密巻状のコイルばね４０を用いた。
【００２３】
コイルばね４０のピッチは、ケース３１の内面に形成したねじ３５のピッチと一致させてあり、コイルばね４０はこれの端部内面にカラー４１を内嵌装着した状態で前記ねじ３５にねじ込まれている。他は実施例１と同じであるので、同じ部材に同じ符号を付してその説明を省略する。
【００２４】
カラー４１は、コイルばね４０の内面に嵌り込む筒軸４２と、筒軸４２の一端から張り出されるフランジ４３とを一体に備えており、フランジ４３がコイルばね４０の端部に接当することで、コイルばね４０に対して位置決めされる。カラー４１はボールチャック１６のばね３４の一端を受け止めるばね受具を兼ねている。
【００２５】
外力を受けたコイルばね４０が縮小変形すると、コイルばね４０がねじ３５のねじ山から外れて分離することがある。このようなコイルばね４０の分離を防ぐために、コイルばね４０の内面にカラー４１を配置して、コイルばね４０が縮小変形するのを規制している。ボールチャック１６は、コイルばね４０の遊端をホルダ１７の第１腕２４のねじ孔２７にねじ込み、さらにねじ孔２７から突出するコイルばね４０の周面にロックナット４５をねじ込むことにより第２腕２５に固定してある。
【００２６】
上記のように、コイルばね４０を介してボールチャック１６をホルダ１７に固定すると、図７に示すように、ドア１が急開放するときコイルばね１９が伸張変形して衝撃を吸収できるので、ワイヤ８およびボールチャック１６に過大な負荷が作用するのを解消できる。
【００２７】
上記の実施例以外に、可撓体１９および弾性体４０としてはフレキシブルパイプを適用できる。エンド金具９は球状に形成することができる。ブラケット４は、エンド金具９を回動可能に支持できる構造であればよく、その構造は実施例で説明した構造には限定されない。ワイヤ８のドア１側の一端は、ドア１に固定されていればよい。例えば、ワイヤ８の先端を環状に形成し、直接ビス等により取付けることができる。ワイヤ８の通口を設けたプレートにワイヤ８を差し込み、先端を抜け止め処置したのちドア１にプレートを固定してもよい。ボールチャック１６用のホルダと、コイルばね１９用のホルダは、個別に設けることができるので、ホルダ１７の構造は実施例で説明した構造に限定されない。ブラケット４およびホルダ１７はそれぞれプレス金具である必要はない。
【図面の簡単な説明】
【００２８】
【図１】実施例１の煽止め具の使用状態を示す斜視図である。
【図２】実施例１の煽止め具の使用状態を示す一部破断正面図である。
【図３】実施例１の煽止め具の構成部品の分解正面図と斜視図である。
【図４】実施例１のワイヤ連結具および屈曲緩和具の縦断正面図である。
【図５】実施例１の使用状態における煽止め具の動作を示す一部破断平面図である。
【図６】実施例２のワイヤ連結具および屈曲緩和具の縦断正面図である。
【図７】実施例２の使用状態における煽止め具の動作を示す一部破断平面図である。
【符号の説明】
【００２９】
１  ドア
２  ドア枠
４  ブラケット
６  ワイヤ連結具
７  屈曲緩和具
８  ワイヤ
９  エンド金具
１６  ボールチャック
１７  ホルダ
１９  コイルばね
【図１】
2005171479.tif 000003
【図２】
2005171479.tif 000004
【図３】
2005171479.tif 000005
【図４】
2005171479.tif 000006
【図５】
2005171479.tif 000007
【図６】
2005171479.tif 000008
【図７】
2005171479.tif 000009